(57)【特許請求の範囲】
【請求項１】
前後２面部を向き合わせにして互いの上縁部間に開口部を設ける透水性のフィルタを素材にして形成される袋本体と、該袋本体を容器に支持する支持体とからなる簡易型濾過器において、前記袋本体の前後２面部を形成する前記フィルタは加熱乃至高周波接着による接合においてその内面側が強接着性であり外面側が弱接着性である二層構造にかかるフィルタにして、前記開口部に臨む前記前後の２面部の各上縁部についてそれぞれを内向きに折り返し重ね合せて互いに接面する内面側同士を前記強接着性を利用して強固に接合し、これによって各上縁部を二重構造の補強縁部に形成する一方、該前後に対面する補強縁部の外面側同士を接面させ前記弱接着性を利用して易剥離状態に接合し、前記袋本体の開口部を封止して袋本体内に被抽出物を封入することを特徴とした簡易型濾過器。
【請求項２】
請求項１に記載の簡易型濾過器において、袋本体の開口部に臨む前後の補強縁部は対面する外面側同士を１又は複数の箇所において点状に接合し、前記開口部を封止することを
特徴とした簡易型濾過器。
【請求項３】
請求項１に記載の簡易型濾過器において、袋本体の開口部に臨む前後の補強縁部は対面する外面側同士を前記開口部の開口幅方向に沿って線状に接合し、前記開口部を封止することを特徴とした簡易型濾過器。
【請求項４】
請求項１に記載の簡易型濾過器において、袋本体の開口部に臨む前後の補強縁部にはそれぞれの外側面に補強片を付設することを特徴とした簡易型濾過器。
【請求項５】
請求項４に記載の簡易型濾過器において、補強縁部に沿って付設される補強片にはそれぞれ上縁部分から開封用摘み片を突設することを特徴とした簡易型濾過器。
【請求項６】
請求項１乃至５のいずれかの請求項に記載される簡易型濾過器において、袋本体の前後の２面部を形成するフィルタは木材パルプからなる紙フィルタを主素材にして弱接着性の層を構成し、他方その内面側には熱接着性を有する合成樹脂製短繊維素材を漉き込んで強接着性の層を構成して二層構造とすることを特徴とした簡易型濾過器。
【請求項７】
請求項１乃至５のいずれかの請求項に記載される簡易型濾過器において、袋本体の前後の２面部を形成するフィルタは内面側に溶融による接着力が高い合成樹脂製のフィルタを配置し、外面側に上記内面側フィルタより接着力が低いか若しくは接着力を欠除するフィルタを配置して両フィルタを積層状に一体に接合し、内面側を強接着性の層とし外面側を弱接着性の層とする二層構造にしてなることを特徴とした簡易型濾過器。
【請求項８】
請求項７に記載の簡易型濾過器において、袋本体の前後の２面部を形成するフィルタは内面側と外面側において強弱接着性を異にする二層構造にした間に強度乃至は濾過濃度を調整するための第三のフィルタ層を介挿することを特徴とした簡易型濾過器。
【発明の詳細な説明】
【技術分野】
【０００１】
本発明は、使い捨てに係る簡易型濾過器に関する。
【背景技術】
【０００２】
使い捨てに係る簡易型濾過器は、主にレギュラーコーヒー用の濾過器として広く普及しており、各種形態を異にした多くの実施品が販売されている。この簡易型濾過器（以下、単に「濾過器」という。）は、例えばコーヒー用の濾過器である場合、フィルタ製の袋にコーヒー粉末（被抽出物）を予め封入しておき、使用時に開放する開口部から湯を注入してコーヒーの成分を抽出し、抽出したコーヒー液（抽出液）を袋を形成しているフィルタで濾過しながらコーヒーカップ等の容器に直接受けてそのまゝ飲料することができるものとなっている。この様な手軽さ、簡便性から広く普及するに至っている。
【０００３】
この濾過器は、取り分け、コーヒーの濾過器として使用する場合、袋に封入するコーヒー粉末の量を決めることによって上記する様にコーヒー液の濃度を予め決めることができることや、単に湯を注ぐことでレギュラーコーヒーを簡単に抽出できること、更には使用後袋にコーヒー粉末を残したまゝ濾過器ごと廃棄処理することができること、などからコーヒーの愛飲家には便利なものとして広く利用されている。
【０００４】
この濾過器は、上述した様にコーヒーの濾過器とした場合、通常、コーヒー粉末を封入した袋に対して直接熱湯を注ぎ込むことから危険を回避するため、袋には自立的に支持する支持体を備えているのが普通であり、この支持体でコーヒーカップ等の容器に取り付け支持させて熱湯を手に受けたりしないようにしている。また、袋には予め定量のコーヒーの粉末を封入しておき、使用時に袋の一部を開封して、この開口部を通して湯を注ぎ込み、容器にコーヒー液を受けるようにしている。この様なことから、基本的な形態としてこの濾過器は抽出物を封入したフィルタ製の袋と、これを支える支持体から構成されるものとなっている。
【０００５】
ところで、この濾過器に使用される袋は、前述したようにフィルタを素材にして袋状に形成したものからなり、通常は袋の上部に開口部を形成して使用するまで接着するなどしてこの開口部を閉ざし、投入した被抽出物を封入した状態に保って使用時に上記接着を解いて開封する構造にしている。また或るものは予め被抽出物を封入し密封した状態の袋に形成して袋の上部に予め切り離し用の余剰の袋部分を設けて置き、袋の開封時にこの余剰の袋部分を指先で引き千切って取り除き、袋の上部に開口部を形成するもの、等がある。
【０００６】
しかし、上記いずれの場合も、袋に形成される開口部は、袋の素材であるフィルタの縁部が直接臨む状態で形成されることから、この開口部には開放した状態を自立的に維持するだけの腰、つまり剛性に欠け、これがため内部に投入されている被抽出物の重量を受けることにより、或は開口部を通して注入される湯の注入圧力や、湯の重量を受けたとき、この開口部に臨むフィルタの縁部が内側に垂れ込み、開口部の広がりを狭めて湯の注ぎ込みを防げる問題があった。
【先行技術文献】
【特許文献】
【０００７】
【特許文献１】特開２００４−２３０１４３号公報。
【０００８】
特許文献１は、ドリップバッグ１Ａ、つまり簡易型濾過器の袋本体２について、これの使用に当ってその上部をミシン目に沿って千切り取り、開口部８を形成するタイプの濾過器、換言すれば前記従来技術の後者のタイプに係る濾過器について開示するものである。
【０００９】
この特許文献１に記載の濾過器は、袋本体２の上部を千切り取ることによって袋本体２を開封し、開口部８を形成するものであり、そのためこの開口部８は、袋本体２の素材である濾過性シート材料、つまりフィルタを切り取ることによって形成されるものとなっている。従って、この開口部８は実質的にフィルタそのものによって形成されることから注湯するに当って開放させたとき、自力によって広く開放した状態を確保することが困難なものになっている。
【００１０】
勿論、この特許文献１に記載の濾過器は、使用時における開放状態の補助手段として袋本体２に補強片９を付設して開放を補助する方法、或は袋本体２に備える掛止部分３をカップ３０の縁に掛け止めて袋本体２を前後に引っ張ることによって開口部８の広がりを確保し、シート材料の内側への垂れ込みを阻止する方法を採っているが、しかし、袋本体の開口部８について見れば、フィルタのみからなるためその縁部の内方への垂れ込みを自力で止められてはおらず、注湯に当って口のすぼまりを防止することができないものになっている。  
【発明の概要】
【発明が解決しようとする課題】
【００１１】
本発明は簡易型濾過器にあって、袋本体に設けられる開口部がその開放時に投入した被抽出物の重量を受けることによって、或は注ぎ込む湯の流入圧力や重量を受けることによって開放する縁部が内側に垂れ込み開放状態が崩れたり、更には垂れ込みが進んで口がすぼまるのを防止し、安定した開放状態を維持することができるようにした簡易型濾過器を提供しようとするものである。
【００１２】
簡易型濾過器は、使い捨てになるものであっても安全に、しかも使い勝手が良いことが求められることは勿論である。しかし同時に、廉価に製造できること、ことに資源の有効利用の観点から簡素であることが求められる。そのため市販の多くの濾過器は、その主体となる袋本体についてはフィルタのみによって形成すると共に、これを支持する支持体をできるだけ簡潔な構造にして濾過器全体を出来るだけ簡素な構造にしているのが一般的である。
この様なことから袋本体について全体をフィルタの一枚構造としているが、フィルタの一枚構造はフィルタ自体が肉薄に形成されてそれ自体の剛性が小さいことから一定の形状を維持するのが困難である。このため、前述した様に注湯のために開放したとき、この開口部を一定の広さに開放維持するのが困難になっている。
【００１３】
前記特許文献１では、袋本体の開放姿勢の維持が困難なことに鑑み、補強片９を、また掛止部分３，３を備えることによって開口部８の開放状態を維持するようにしているが、この様に袋本体に対して常に適切な補強乃至支持手段を準備できる訳ではなく、構造の簡素化が求められる上から補強手段が省略されたり、支持手段によっての袋本体の開放を補助することができない構造の場合もある。
【００１４】
本発明は、この様な事情に鑑み、袋本体に対して開口部を開放したとき、自立的に開放姿勢を維持できるように袋本体について改善したものである。更に言えば、本発明は、袋本体の開口部を強化すると共に、この強化される開口部の成形を容易にできるようにして製造性を高め、更にはこの袋本体の開口部の封止を易剥離可能な状態に行えるようにして袋本体内部に被抽出物を封入すると共に、封止を解いて容易に開封できるようにした簡易型濾過器を提供しようとするものである。
【課題を解決するための手段】
【００１５】
従って、本発明は上記目的を達成するため、フィルタを素材にして形成される袋本体の開口部について、フィルタの折り返しによる二重構造を作り、これにより補強縁部を形成して開放時における縁部の強化を図り、自立的に開放状態を維持できるようにした簡易型濾過器を提供するものである。
また、上記補強縁部の形成に当ってフィルタ自体の構造を特定することによって容易なものにすると共に、開放される上記開口部について濾過器の未使用時には易剥離状態に接合して袋本体内部に被抽出物の封入を可能にし、使用に当ってはこの接合を容易に剥離して開口できるようにした簡易型濾過器を提供しようとするものである。
【００１６】
本発明を更に詳述すれば、前後２面部を向き合わせにして互いの上縁部間に開口部を設ける透水性のフィルタを素材にして形成される袋本体と、該袋本体を容器に支持する支持体とからなる簡易型濾過器において、前記袋本体の前後２面部を形成する前記フィルタは加熱乃至高周波接着による接合においてその内面側が強接着性であり外面側が弱接着性である二層構造にかかるフィルタにして、前記開口部に臨む前記前後の２面部の各上縁部についてそれぞれを内向きに折り返し重ね合せて互いに接面する内面側同士を前記強接着性を利用して強固に接合し、これによって各上縁部を二重構造の補強縁部に形成する一方、該前後に対面する補強縁部の外面側同士を接面させ前記弱接着性を利用して易剥離状態に接合し、前記袋本体の開口部を封止して袋本体内に被抽出物を封入することを特徴とした簡易型濾過器を提供することにある（請求項１に記載の発明）。
【００１７】
袋本体を形成する上記フィルタは、その内面側と外面側の高周波等の加熱融着による接着性に差を付けることによって接着時の接着強度に差を付けるものであり、内面側を外面側より接着性を高くすることによって袋本体の開口部に臨む前後２面部の上縁部を内側に折り返し二重にして接面させ、これを加熱融着したとき、強い接着を得て所要剛性を持つ二重構造の補強縁部を形成するのであり、またこれにより上記開口部は補強縁部の剛性によって自立性を高め、開放時に広く開放した姿勢を維持することができるものとなる。
【００１８】
その一方、前記開口部において対面する前後の補強縁部は、向き合う面がフィルタの外面側同士となり互いに接着性が低いことに伴って弱い接着状態となり、これにより易剥離状態に接着して袋本体内部に被抽出物を封入することができる。そして同時に、開封時にはこの接着状態を利用して簡単に剥離し、開口部を開封することができることになる。
【００１９】
この本発明に係る簡易型濾過器は、袋本体に対して予め所定量の被抽出物、例えば一定量のコーヒー粉末等を投入して開口部を閉ざし、包装用袋に密閉した状態にして保管することになり、使用に際しては包装用袋から取り出すと共に、袋本体の開口部を前後の補強縁部を引き離すようにして互を接着する接合部を剥離して開放し、この状態において袋本体に備える支持体を使ってコーヒーカップなどの容器に掛け止め、セットすることになる。そうした後、前記開放した開口部を通して湯を注ぎ込み、コーヒー液などの抽出液を容器に受けることによって使用されることになる。
【００２０】
尚、袋本体を支持する支持体は、袋本体の開口部が前記補強縁部によって補強され、所定に剛性を有することになることから、開放時における開放姿勢を保持するための機能を備えることを要せず、従って容器に対して袋本体を支持できる構造のものであれば足ることになる。
【００２１】
また、次に本発明は前記記載の簡易型濾過器において、袋本体の開口部に臨む前後の補強縁部は対面する外面側同士を１又は複数の箇所において点状に接合し、前記開口部を封止することを特徴とした簡易型濾過器を提供することにある（請求項２に記載の発明）。
【００２２】
上記点状の接合は、開封時の剥離を容易にするものであり、補強縁部同士は封止のため接面した状態を維持できればよい。そのため、この点状の接合は１点での接合であってもよく、複数点でもよい。
【００２３】
また本発明は、前記記載の簡易型濾過器において、袋本体の開口部に臨む前後の補強縁部は対面する外面側同士を前記開口部の開口幅方向に沿って線状に接合し、前記開口部を封止することを特徴とした簡易型濾過器を提供することにある（請求項３に記載の発明）。
【００２４】
上記線状の接合は、補強縁部の外面側同士の易剥離状態の接合を前記点状の接合と同様に一定の接合状態を実現した上において容易にこの接合状態を解き開放できるようにしたものである。
【００２５】
また本発明は、前記記載の簡易型濾過器において、袋本体の開口部に臨む前後の補強縁部にはそれぞれの外側面に補強片を付設することを特徴とした簡易型濾過器を提供することにある（請求項４の記載の発明）。  
【００２６】
この発明は、前記発明（請求項１に係る発明）に併せて袋本体の開口部の強化を図る発明であって、開口部に臨む上縁部に沿って補強片を添わせることによって開口部の縁部の剛性を高めることになる。更にはこの補強片の付設によってこの部分のフィルタの透水性を抑えて被抽出物との接触のない湯の漏れ出しを防止することにもなる。
【００２７】
また本発明は、前記記載の簡易型濾過器において、補強縁部に沿って付設される補強片にはそれぞれ上縁部分から開封用摘み片を突設することを特徴とした簡易型濾過器を提供することにある（請求項５に記載の発明）。
【００２８】
この発明によれば、上記発明における補強片に向き合って開封用の摘み片を各一体に設けることによって、袋本体の開口部を開放操作する際にこの摘み片により簡単に開放することができるものとなる。
この摘み片は、開口部において前後の面部を接合し、閉塞するようにして封入するコーヒー粉末の漏れ出しを防止するようにした場合に有効であり、前後の摘み片を指で摘んで前後に引き離すことによって簡単に開口部を開封することができる。
【００２９】
また本発明は、前記記載の簡易型濾過器において、袋本体の前後の２面部を形成するフィルタは木材パルプからなる紙フィルタを主素材にして弱接着性の層を構成し、他方その内面側には熱接着性を有する合成樹脂製短繊維素材を漉き込んで強接着性の層を構成して二層構造とすることを特徴とした簡易型濾過器を提供することにある（請求項６に記載の発明）。
【００３０】
また本発明は、前記記載の簡易型濾過器において、袋本体の前後の２面部を形成するフィルタは内面側に溶融による接着力が高い合成樹脂製のフィルタを配置し、外面側に上記内面側フィルタより接着力が低いか若しくは接着力を欠除するフィルタを配置して両フィルタを積層状に一体に接合し、内面側を強接着性の層とし外面側を弱接着性の層とする二層構造にしてなることを特徴とした簡易型濾過器を提供することにある（請求項７に記載の発明）。
【００３１】
また本発明は、前記記載の簡易型濾過器において、袋本体の前後の２面部を形成するフィルタは内面側と外面側において強弱接着性を異にする二層構造にした間に強度乃至は濾過濃度を調整するための第三のフィルタ層を介挿することを特徴とした簡易型濾過器を提供することにある（請求項８に記載の発明）。
【発明の効果】
【００３２】
本発明は、上述の如く構成されることから、剛性に欠けるフィルタを材料に成形される袋本体において、その上部に形成される開口部の縁部が二重構造の補強縁部となることから所要の剛性が付与されることになり、このため、開口部を開放したとき上縁部が自立して開放状態を維持することができることから、補強片による強度附与や支持体による拡張補強を受けることなく独自に安定した開放姿勢を維持することができる簡易型濾過器を提供することができる。
【００３３】
また、本発明によれば、上記補強縁部は前後の面部の上縁部を内側に折り返し二重にして接面した状態で加熱接合することによって前記フィルタの内面側の接着性の高い性質を利用して強固に接合することができることから簡単に形成することができ、また同様にして前後の補強縁部同士を加熱接合することによってフィルタの外面側の接着性の低さを利用してこの両者を易剥離可能な状態に接合することができるため、それぞれの部所において求められる強弱の接合が得られることになり、製造性の高いまた使い勝手の良い簡易型濾過器を提供することができる。
【図面の簡単な説明】
【００３４】
【図１】本発明に係る簡易型濾過器の正面図である。
【図２】袋本体に設ける支持体と補強片とを分離して示した正面図である。
【図３】使用に備えて袋本体を開放すると共に支持体を掛け止めるため引き起した状態を示す斜視図である。
【図４】図１のＡ−Ａ線に沿って断面とした拡大断面図である。
【図５】本発明に係る簡易型濾過器を容器に掛止めた使用状態を説明する斜視図である。
【図６】袋本体の開口部に臨む前後の面部の補強縁部同士の接合形態を説明する部分の拡大正面図であり、図（Ａ）は１点において接合する場合、図（Ｂ）は線状に接合する場合、図（Ｃ）は等間隔に複数点で接合した場合を示す。
【発明を実施するための形態】
【００３５】
添付する図面は、本発明に係る簡易型濾過器をコーヒーの濾過器として実施した一実施形態を示したものである。以下、図面に示す実施の形態に基づき本発明を説明し、その特徴とするところを明らかにする。
図面において、符号１は本発明に係るコーヒーの濾過器であり、２はこのコーヒーの濾過器１の袋本体であり、３は使用時に袋本体２を容器となるコーヒーカップ４の縁に掛け止め支持する支持体である。
【００３６】
袋本体２は、合成樹脂の不織布からなるフィルタを素材にして形成される袋であり、前後の２面部２ａ，２ｂを有し、上方を開放する形にしてある。ここでは、袋本体２の上記前後の面部２ａ，２ｂの左右においてそれぞれ縁部を接面状に添わせて接着し、この接着した縁部をそれぞれ内側に折り込んで前後の面部２ａ，２ｂの間に襠５，５を設けてあり、この襠５，５を利用して袋の全体を偏平に折りたゝみ、また拡張できるようにしてある。そして、前後の面部２ａ，２ｂの各上縁部は内側に折り返して重ね合せ、これを接合して前後の補強縁部６，６を形成し、この補強縁部６，６の間に袋本体２の開放することができる開口部７を形成している。
【００３７】
前記袋本体２を形成するフィルタには、ここではヒートシールが可能な合成樹脂製フィルタが使用される。更に言えば、ここにおけるフィルタは、高周波等による接合手段を用いての接着に当ってフィルタの内面側を強接着性にし、外面側を弱接着性にする互いに接着力を異にした二層構造のフィルタにしてある。そして、前記前後の面部２ａ，２ｂはそれぞれ袋本体の内側に上記内面側の強接着性であるフィルタ層Ａを、そして外側に外面側の弱接着性のフィルタ層Ｂを向けるようにして袋本体２を形成し、前記した如く補強縁部６、６を形成する際には折り返しによって二重にしたところでヒートシールし、上記内面側同士、つまりフィルタ層Ａ，Ａ同士を一体に接合して強固な接着をなし、所要剛性を持った補強縁部６，６を形成する。
【００３８】
図４は、この状態を具体的に示したものである。ここでは前後の面部２ａ，２ｂを形成するフィルタは、内面側になる強接着性のフィルタ層Ａにポリプロピレンを材料としたフィルタ層を配置し、また外面側の弱接着性のフィルタ層Ｂにポリエステルを材料としたフィルタ層を配置して、この両層を一体に接着して二層構造にしたものにしてある。
この接着強度の異る二層構造のフィルタの使用は、前述した様に補強縁部６，６の形成及び左右の縁部同士の接合と共に、袋本体２の底部８おける前後面部２ａ，２ｂの接合にも有効に利用され、強固な接合が図られている。
【００３９】
そしてまた、図４に示したように、上記前後の面部２ａ，２ｂの上縁部に当る補強縁部６，６相互を接合し開口部７を閉塞するに当っては、この補強縁部６，６の外面側同士、つまり弱接着性のフィルタ層Ｂ，Ｂ同士による接着となる。そのため、後述する様にこの接合は接合強度が弱いものとなり、指先による引き離しによって簡単に剥離開封が可能な状態に接合されることになる。
【００４０】
一方、前記支持体３は、所要剛性を有したやゝ厚手の板紙を素材にしてこれを切抜くことによって形成してある。ここでは、図１に示したように略方形の板紙を切抜いて固定片９と腕片１０，係止片１１を一体に形成するものにしてあり、更にここでは支持体３の形成に併せて、補強片１２を同時に形成するようにしてある。
【００４１】
支持体３を構成する前記固定片９，腕片１０，係止片１１のうち、固定片９は略凹字形に切抜いて形成してある。この固定片９の凹字形の溝の底部に続くようにして舌片状の腕片１０を切出し、更にこの腕片１０の上端部から左右方向に延び出し、且つ前記固定片９を囲み込むようにして略矩形の枠形をなす係止片１１を切り出すようにして形成してある。
【００４２】
この支持体３は、固定片９を前後の面部２ａ，２ｂの各外表面部に接合して前後１対のものが対称的に固定され、それぞれは上記固定片９の取付けによって平面状を維持した状態で袋本体２の前後の面部２ａ，２ｂの各外表面部に取付く。そして、未使用時の袋本体２を偏平に保つことになるのである。
【００４３】
一方、この支持体３の取付けにおいて、前記固定片９の接合に併せてこの固定片９から連続して形成される腕片１０は基端部１３の背面をそれぞれ前後の面部２ａ，２ｂの外表面に接合してここにフィルタと一体をなす補強弾性部１４を形成している。
【００４４】
従って、腕片１０を引き起こすと、接着により一体化した前後面部２ａ，２ｂがこの接着部分において一緒に引き上げられ、これに基づいてフィルタの復元力が同時に働くことになり、基端部１３に集中する引き起しの力がこの部分全体に分散され腰折れ状態、即ち屈折を回避することになっている。
【００４５】
図１において、破線１５は固定片９と腕片１０の補強弾性部１４の前後の面部２ａ，２ｂに対する接合範囲を示したものである。また、破線１６は後述するように係止片１１をコーヒーカップ４の縁に掛止めるとき、この係止片がカップの外側に回り込み易くするための折曲げ部分を示したものである。
【００４６】
前記支持体３と共に厚紙を切り抜くことによって形成される前記補強片１２，１２は、係止片１１の外側を囲むように門形に形成してあり、それぞれ上縁部１２ａ，１２ａの上部には中央部から右側にずらした状態で開封用の摘み片１７を突設している。
【００４７】
この補強片１２，１２は、その上縁部１２ａを袋本体２の開口部７を前後から挟むように形成する補強縁部６，６に沿って接着してある。この補強片はフィルタを二重にして形成した補強縁部６，６に重ねることによって開口部７の縁を更に補強し、剛性を高めることになり、またそれぞれは左右の端から垂設する側片部１２ｂ，１２ｂを前後の面部２ａ，２ｂのそれぞれの側縁部に沿って接着することによって前記襠５，５の内側に入り込めるようにしてある。そして、上縁部１２ａの左右の端部には折曲げのミシン線１８を形成して上記側片部１２ｂ，１２ｂが襠５，５の内側に無理なく折り込めるようにしてある。
【００４８】
さて、上記構成に係る本発明濾過器は、袋本体２の中に所要量のコーヒー粉末（通常８〜１０ｇ前後の粉末量）を充填し、未使用時には前後の面部２ａ，２ｂを寄せ合せて偏平状に畳まれる。そして、この時接面する開口部７はヒートシールによって前後の面部２ａ，２ｂの対面する補強縁部６，６の外面側同士を１点において接合１９し、閉塞した状態にして包装用袋（図示せず）に収容し、機密の状態にして保管される。
そして、使用時には包装用袋から取り出したのち、補強片１２の摘み片１７を摘んで前後に引き離して接合部分１９の接着を剥離して開封し、次に袋本体２の前後の面部から支持体３，３を引き出してこれをカップ４の縁に掛止めることによりセットすることになる。
【００４９】
使用の実際を更に説明すると、本発明濾過器１の装着セットは、先ず前後の面部２ａ，２ｂに取付けた支持体３，３の係止片１１，１１を引き出すことによって行われる。
前後の面部２ａ，２ｂに接面した状態にある係止片１１を指で摘んで引き起すと、これに伴って腕片１０が引き起され、袋本体２の前後の面部２ａ，２ｂが開口部７と共に開放することになる（図３を参照）。そして、前後の係止片１１，１１がカップ４の口に合う程度に引き出されたところで縁に掛け止めることによって装着作業を終了し、セットを完了することになる（図５を参照）。
【００５０】
この装着作業において、係止片１１の引き出しによって引き起される腕片１０は、前後の面部２ａ，２ｂに固定される固定片９との接続点となる基端部１３を基点にして起き上りを開始し、厚紙素材の剛性に抗しながら反り返り、係止片１１の引き出しに追随することになる。この時、腕片１０の剛性に抗しての起き上りは、同時に袋本体２の前後の面部２ａ，２ｂを外に引き出すことになる結果、開放を誘導することになる。これと共に、この引き出し時に補強弾性部１４を介して上記前後面部２ａ，２ｂの一部を引き出しながら起き上ることから基端部１３を基点にしながら徐々に反り返ることになり、これに伴って反り返りの基点が一点に集中するのが回避されることになる。
【００５１】
ところで、厚紙は、材料としてのコストが低く、打抜きによる加工も容易で製造性に優れることから、使い捨ての濾過器の素材として条件を備えたものとなるが、同時に、折れ曲げに対しては耐久性に欠け、簡単に折れ曲って復元力を失う問題があることは前述した通りである。
これについて本発明濾過器は、上述した通り、引き起しによって腕片１０に反りが加えられたとき、前記補強弾性部１４によってフィルタ素材の裏打ちを受けて急激な反り返りが防止される構造になっていることから、折れ曲りが回避され、反り返り状態が維持されて復元力が残されることになり、その結果、反発力が腕片１０に蓄積されて袋本体２の開放と、係止片１１，１１の係止力が保たれて安定した装着状態が得られることになる。
【００５２】
一方、前述したように袋本体２は、開口部７が補強縁部６，６によって、また補強片１２，１２によってそれぞれ補強され、柔軟なフィルタに対して所要の剛性が付与される構造になっていることから、支持体３，３によるカップ４に対する装着が行われたとき、開口部７に臨む縁部が自立してしっかり開放した状態を保つことになり、また未使用時には開口部７を閉じた状態において前、後の面部２ａ，２ｂの補強縁部６，６の外面側同士の接合によって閉じ合せ、被抽出物であるコーヒー粉末を確実に封入して置くことができることになる。そして、このとき補強縁部６，６と補強片１２，１２によって剛性が付与されることから、前述の様に接合部分１９のみによる接着でも充分な閉塞状態が保持されることにもなる。
【００５３】
さて、本発明に係る濾過器１は上述した如く構成され、使用されるが、袋本体２を形成する前後の２面部２ａ，２ｂは、開口部７に臨むそれぞれの上縁部を内側に折込み二重にして接合し補強縁部６，６を形成するに当ってこの補強縁部の向い合わせとなる外面側同士を同時に接合して開口部７を閉じることができる。
【００５４】
この同時に行う接合は、必須のものではなく選択的なものであるが、同時接合によった場合は、補強縁部６，６はフィルタの強接着性の内面側同士の接合となり、また開口部７の接合は補強縁部の外面側の弱接着性にかかる部分同士の接着となるため、上記補強縁部においては強固な接着状態が得られ、所要剛性を持った縁部を形成することになり、その一方、開口部７においては易剥離状態の接着となるため開封時には指先によって容易に開封することができるものとなる。
【００５５】
尚、上記接合作業を濾過器の製造工程に合せて個別にすることを排除するものではないが、本発明においては前後の面部を構成するフィルタについて、前述した通り内面側と外面側との接着性能を強弱違えてあることから、接合作業を同時にしても、又個別にしても自動的にそれぞれ接着強度を違えて接合することができることになる。また、この場合それぞれの接合を同一の加熱温度の下で行っても上記フィルタの構造から接着強度を違えて接合することが可能である。
【００５６】
図４は、前述の通り、前後の面部２ａ，２ｂにおける補強縁部６，６の形成と、補強縁部６，６同士の接合によって開口部７を閉塞している状態を示している。更にここには支持体３，３と補強片１２，１２が接合された状態が示されている。
この支持体３，３と補強片１２，１２は、前記フィルタによる接着性によらず個別に接着し取付けられるが、支持体については容器４に対して袋本体２をしっかり支持できる強度をもって取り付けことになる。
【００５７】
ところで、前記説明において、フィルタについて内面側と外面側とが接着強度を異にする２層Ａ，Ｂからなることを説明したが、ここにおける接着力の強い層Ａについては前記ポリプロピレンの外、ポリエチレン、低融点ポリエステル、ナイロン、など溶融することで接着力を有する合成繊維を選択することができる。
また、外面側の接着力の弱いフィルタ層Ｂにはポリエステル、レーヨンなどの合成繊維の外、コウゾ、ミツマタ、マニラ麻などパルプからなる紙フィルタを選択することができる。
【００５８】
また一方、この使用フィルタについては、内外の２層を個別に成形してこの両者を接合し積層して形成する外に、前記したコウゾ、ミツマタ、マニラ麻などパルプからなる紙フィルタを基材にしてこれを弱接着性の外面側とし、その一面側に熱融着性の高いポリプロピレンやポリエチレンの短繊維を漉き込んで強接着性の内面側に当たるフィルタ層Ａを形成するようにしたものであってもよい。
尚、この場合、上記紙フィルタの基材の一面にポリプロピレンやポリエチレンの短繊維を漉き込みフィルタ層Ａを形成すると、この漉き込みの過程で短繊維の一部が上記基材側に浸透して非接着性の紙フィルタ、つまり外面側に接着性をもたらすことになり、その結果弱接着性のフィルタ層Ｂを自動的に形成することになる。
【００５９】
更にまた、このフィルタについては、前記内外２層のフィルタ層Ａ，Ｂからなるものにおいて、この両者間にフィルタの強度を出すための、或は濾過濃度を調整するための第３のフィルタ層（中間層）を介挿してもよい。
当該濾過器に使用されるフィルタは、使用の実際を考慮すると同時に、コーヒーの場合はその風味が重要な要素となるため封入されるコーヒー粉末の粒径や、投入量等の調整が重要な要素となる一方、フィルタそのものの選択も重要な要素となる。この様なことから、フィルタについては上記第３のフィルタ層、つまり中間のフィルタ層の介挿を含むことになる。
【００６０】
尚、図６は易剥離状態に接合される開口部７の接合形態を説明したものであるが、図（Ａ）は、前後の補強縁部６，６の各外面に沿って付設した補強片１２に被るように２箇所に、そして摘み片１７，１７の２箇所に点状に接合部２０を設けた場合であり、図（Ｂ）は、補強片１２が被る補強縁部６，６の対面する部分を幅方向に沿って線状に接合部２１を設けた場合であり、また図（Ｃ）は、補強片１２を付設した補強縁部６，６の対面する部分を幅方向に沿って間隔を置いて複数の接合部２２，‥‥を設けた場合である。
これらいずれの接合部も開口部７の開放に当って指先の開放作業で簡単に開封できるようにした接合例である。
【００６１】
以上、本発明をコーヒーの濾過器について説明したが、この濾過器は被抽出物としてコーヒーが選択される他、紅茶や緑茶などの茶葉や、だし等の濾過器としても利用できることは言うまでもない。
【符号の説明】
【００６２】
１            本発明に係る簡易型濾過器
２            袋本体
２ａ，２ｂ    袋本体を形成する前後の面部
３            支持体
５            袋本体の側部に形成した襠
６            袋本体の開口部に沿って形成される補強縁部
７            袋本体の開口部
１２          袋本体の開口部の外側面に沿って設けた補強片
１２ａ        補強片の上縁部
１２ｂ        補強片の側片部
１３          腕片の基端部
１７          補強片に設けた摘み片
１９          袋本体の開口部を閉塞する接合部分
２０，２１，２２  袋本体の開口部を閉塞する接合部
Ａ            フィルタの内面側の強接着力を有するフィルタ層
Ｂ            フィルタの外面側の弱接着力を有するフィルタ層
【図１】
0005574889.tif 000002
【図２】
0005574889.tif 000003
【図３】
0005574889.tif 000004
【図４】
0005574889.tif 000005
【図５】
0005574889.tif 000006
【図６】
0005574889.tif 000007